(57)【特許請求の範囲】
【請求項１】
折畳み・貼合せ厚紙箱のブランク（４）のフォルダー・グルア用供給・整合装置であって、折畳み・貼合せブランク（４）を、これらのブランク（４）が押圧される供給領域内に導入する前に、ブランクの種々の折畳み・貼合せ部分間の傾斜を横方向に移動させるために、前記折畳み・貼合せブランク（４）を停止させるための少なくとも１つのスラスト（３）と、ブランク（４）を前記供給領域内に供給する機構（８）とを有するフォルダー・グルア用供給・整合装置において、前記スラスト（３）は、一方では、前記ブランク（４）の上方にスラスト（３）の搬送軌道を定める駆動手段（５）に連結され、この軌道はこれらのブランク（４）の加工方向に対して鋭角を形成し、前記スラスト（３）は、他方では、該スラスト（３）を前記駆動手段（５）に沿って移動させるための手段（６、７）に関連していることを特徴とするフォルダー・グルア用供給・整合装置。
【請求項２】
前記ブランク（４）を供給領域内に供給する機構（８）は、ブランク（４）の上方で前記機構（８）を垂直に移動させるための手段（１２）に連結されていることを特徴とする請求項１記載のフォルダー・グルア用供給・整合装置。
【請求項３】
前記ブランク（４）を停止させる前記スラスト（３）を、前記駆動手段（５）に沿って移動させるための前記手段（６、７）は、プルバックばね（６）により加えられる押圧力に抗してスラスト（３）を移動させることができる単動シリンダ（７）を有していることを特徴とする請求項１記載のフォルダー・グルア用供給・整合装置。
【請求項４】
前記ブランク（４）を供給領域内に供給する機構（８）を移動させるための前記手段は、前記垂直軌道に従って２つの反対方向に前記機構（８）を移動させることができる複動制御シリンダ（１２）を有していることを特徴とする請求項２記載のフォルダー・グルア用供給・整合装置。
【請求項５】
前記スラスト（３）を上昇させるための単動シリンダ（７）および前記ブランク（４）を前記供給領域の中に供給するための機構（８）を垂直方向に移動させるための複動制御シリンダ（１２）は、フォルダー・グルア内で加工されるブランク（４）の種類に従って切換えられるように、加圧された状態に維持されることを特徴とする請求項１〜４のいずれか１項に記載のフォルダー・グルア用供給・整合装置。
【発明の詳細な説明】
【０００１】
【発明の属する技術分野】
本発明は、折畳み・貼合せ厚紙箱のブランクのフォルダー・グルア
（ｆｏｌｄｅｒ−ｇｌｕｅｒ）用の供給・整合装置であって、折畳み・貼合せブランク
（ｆｏｌｄ−ｐａｓｔｅｄ  ｂｌａｎｋ）を、これらのブランクが押圧される供給領域内に導入する前に、ブランクの種々の折畳み・貼合せ部分間の傾斜を横方向に移動させるために、前記折畳み・貼合せブランクを停止させるための少なくとも１つのスラストを有するフォルダー・グルア用供給・整合装置に関し、また、ブランクを前記供給領域内に導入する駆動機構に関する。
【０００２】
【従来の技術】
厚紙箱のブランク用のフォルダー・グルア（折畳み糊付け機）は、供給領域のインプットに配置されたスラストを有し、折畳み・貼合せブランクは、これらの移動中にスラストに当接して停止される一方、装置の搬送ベルトにより搬送される。スラストは搬送ベルトに対して完全に垂直であり、スラストに到達する厚紙ブランクの方向は矯正されるだけでなく、折畳まれたブランクの種々の重なり厚さの全てがスラストに連結される。かくして、供給領域内への貼合せ部分の押圧により最終固定を行なう前に、厚紙箱の種々の部分の相互間の横方向セッティング（ｃｒｏｓｓｗｉｓｅ  ｓｅｔｔｉｎｇ）が確保される。
【０００３】
重ねられた種々の厚さの厚紙ブランクの前縁部が供給・整合装置のスラストを出るとき、種々の厚さが同時に解放されることはない。このため、これらの種々の厚さのこの非同時解放により、正しく、フォルダー・グルアの供給領域内に送り込まれるときに歪みが発生する。この欠陥はもはや解消されず、ブランクは供給領域のアウトプットで最終的に貼合わされてしまう。
【０００４】
【発明の目的】
本発明の目的は、上記不便さの少なくとも一部を除去することにある。
【０００５】
【課題を解決するための手段】
このため、本発明は、請求項１に記載したような折畳み・貼合せ厚紙箱のブランクのフォルダー・グルア用の供給・整合装置に向けられている。
すなわち、本発明は、折畳み・貼合せ厚紙箱のブランクのフォルダー・グルア用供給・整合装置であって、折畳み・貼合せブランクを、これらのブランクが押圧される供給領域内に導入する前に、ブランクの種々の折畳み・貼合せ部分間の傾斜を横方向に移動させるために、前記折畳み・貼合せブランクを停止させるための少なくとも１つのスラストと、ブランクを前記供給領域内に供給する機構とを有するフォルダー・グルア用供給・整合装置において、前記スラストは、一方では、前記ブランクの上方にスラストの搬送軌道を定める駆動手段に連結され、この軌道はこれらのブランクの加工方向に対して鋭角を形成し、前記スラストは、他方では、該スラストを前記駆動手段に沿って移動させるための手段に関連していることを特徴とする。
【０００６】
本発明の供給・整合装置では、ブランクを供給領域内に供給する機構は、ブランクの上方で前記機構を垂直に移動させるための手段に連結されるのが好ましい。
また、本発明の供給・整合装置では、ブランクを停止させるスラストを、駆動手段に沿って移動させるための前記手段は、プルバックばねにより加えられる押圧力に抗してスラストを移動させることができる単動シリンダを有するのが好ましい。
また、本発明の供給・整合装置では、ブランクを供給領域内に供給する機構を移動させるための前記手段は、垂直軌道に従って２つの反対方向に前記機構を移動させることができる複動制御シリンダを有するのが好ましい。
【０００７】
また、本発明の供給・整合装置では、スラストを上昇させるための単動シリンダおよびブランクを前記供給領域の中に供給するための機構を垂直方向に移動させるための複動制御シリンダは、フォルダー・グルア内で加工されるブランクの種類に従って切換えられるように、加圧された状態に維持されるのが好ましい。
【０００８】
本発明の装置により、折畳まれた厚紙ブランクの種々の層がスラストから同時的に解放される。これにより、ブランクは、スラストに対するブランクの前縁部の当接（ｌｅａｎｉｎｇ）により達成された矯正が、一方のブランクの層に対する他方のブランクの層の強い保持により不意にずらされてしまうことがないようにして、矯正スラスドから供給領域へと移動できる。
【０００９】
【発明の実施の形態】
添付図面には、本発明による供給・整合装置の一実施形態が、一例として概略的に示されている。
図１から図３は、折畳まれたブランクの整合および供給の作動の種々の段階における本発明による装置を図示している。
機械の他のユニットは当業者に知られているし、本発明を理解するのに有用でないので、供給・整合装置に関連するフォルダー・グルアの一部だけを図面に示している。
【００１０】
ベルトまたはコンベアで作られた下方の搬送フォイル１が、フォルダー・グルアの全供給領域の上に延びている。上方の搬送フォイル２（これもベルトまたはコンベアで作られている）が、下方の搬送テープ１の入力から僅かに下流側に配置された供給・整合スラスト３のみから出発する。厚紙ブランク４が、これらを矢印Ｆ１の方向に搬送している２つの搬送テープ１と搬送テープ２との間で押圧される。供給・整合スラスト３は、１つのブランク４の上方にこのスラスト３の搬送軌道を形成する案内（ガイダンス）手段５に沿って摺動するように取付けられ、これにより、これらのブランク４の移動方向に対して鋭角を形成する。単動シリンダ７は、スラスト３を、プルバックばね６により加えられる圧力に抗して、案内（ガイダンス）手段５に沿って上方に移動させることができる。
【００１１】
図１には、スラスト３の上流側に配置された供給機構８が示されている。この供給機構８は、ローラ９ａ、９ｂ、９ｃ上に配置された無端ベルト１０を有し、これらのローラのうちの１つのローラ９ｃは、ベルトを矢印Ｆ１の方向に駆動するための駆動ローラである。この供給機構８（図２も参照されたい）は案内（ガイダンス）手段１１上に組付けられており、かつ供給機構８を案内（ガイダンス）手段１１に沿って両垂直方向に移動させる複動制御シリンダ１２とは独立している。
本発明の装置の各部材は、各厚紙ブランク４の到着時に反復される供給・整合サイクルの開始時において、図１に示すように配置されている。折畳まれた厚紙ブランク４は、機械の生産速度でスラスト３に当接され、整合される。
【００１２】
図１および図２に示すように、最初は高位置にある供給機構８の２つのローラ９ａ、９ｂが下降を開始する。この下降移動の間、無端ベルト１０がブランク４に出合い、該ブランク４を、スラスト３に当接させながら下方に移動させる。このブランク４が図２に示す下方位置に到達すると、スラスト３が、案内（ガイダンス）手段５により定められる傾斜軌道に沿って、単動シリンダ７により上方に移動される。この上方移動の間に、スラスト３がブランク４の前縁部から同時的に離れ、このため、折畳まれたブランクの１つの層すなわち他の層が、ブランクの形状、従って貼合せブランクから生じることがある厚紙箱の形状を歪ませる危険が生じないようにする。スラスト３が上昇することにより、ブランクは、供給領域の上方の搬送テープ２の下で、フォルダー・グルアの出力に向かって搬送されるブランクの流れ４内に送り込まれる。供給領域内へのこのブランクの流れ４の搬送中に、ブランクの流れは下方の搬送フォイル１と上方の搬送フォイル２との間で押圧され、これにより接着剤が固化され、従って厚紙箱の確実な固定が可能になる。
【００１３】
図３に示すように、ブランク４が供給領域のブランクの流れ内に導入されるやいなや、単動シリンダ７がスラスト３を解放する。これによりスラスト３は、プルバックばね６により再び傾斜案内（ガイダンス）手段５に沿って摺動し、次のブランク４を供給する準備が整えられる。
【００１４】
加工されるブランクの種類によっては、ブランクの整合作動を要しないものもある。この場合には、整合作動が行なわれないように２つのシリンダ７、１２の加圧状態を維持すれば充分であり、この場合には、装置は、単に、供給領域内へのブランクの単一供給モードで作動する。
【図面の簡単な説明】
【図１】折畳まれたブランクの種々の整合・供給作動段階のうちの一段階にある本発明による装置を示すものである。
【図２】折畳まれたブランクの種々の整合・供給作動段階のうちの他の段階にある本発明による装置を示すものである。
【図３】折畳まれたブランクの種々の整合・供給作動段階のうちの他の段階にある本発明による装置を示すものである。
【符号の説明】
３  供給・整合スラスト
４  厚紙ブランク
５  ガイダンス手段
７  単動シリンダ
８  供給機構
１１  ガイダンス手段
１２  複動シリンダ
【図１】
0003610062.tif 000002
【図２】
0003610062.tif 000003
【図３】
0003610062.tif 000004